(57)【要約】【課題】楽器の蓋の開閉を簡易に行うことができるとともに、蓋を各種の態様で有効利用することのできる楽器蓋構造及びこれを備える楽器を提供する。【解決手段】上部が開口し内部に楽器本体３を収容する楽器ケース２の後部側に回動可能に取り付けられ、楽器ケース２の後部上方を覆うことが可能な第１の蓋部材４１と、第１の蓋部材４１の前部側に回動可能に取り付けられ、楽器ケース２の中央部上方を覆うことが可能な第２の蓋部材４２と、第２の蓋部材４２の前部側に回動可能に取り付けられ、楽器ケース２の前部上方を覆うことが可能な第３の蓋部材４３と、第２の蓋部材４２を、第１の蓋部材４１上部でかつ楽器ケース２の後方に傾斜して起立させた状態で、第３の蓋部材４３の前部側を第１の蓋部材４１の後部側に係止させる係止部とを備え、第１の蓋部材４１、第２の蓋部材４２及び第３の蓋部材４３によって三角形を形成させるようにした。【選択図】図１
2015206956.tif 000002
【特許請求の範囲】
【請求項１】
上部が開口し内部に楽器本体を収容する楽器ケースの後部側に回動可能に取り付けられ、前記楽器ケースの後部上方を覆うことが可能な第１の蓋部材と、
前記第１の蓋部材の前部側に回動可能に取り付けられ、前記楽器ケースの中央部上方を覆うことが可能な第２の蓋部材と、
前記第２の蓋部材の前部側に回動可能に取り付けられ、前記楽器ケースの前部上方を覆うことが可能な第３の蓋部材と、
前記第２の蓋部材を、前記第１の蓋部材上部でかつ前記楽器ケースの後方に傾斜して起立させた状態で、前記第３の蓋部材の前部側を前記第１の蓋部材の後部側に係止させる係止部と、
を備え、
前記第１の蓋部材、前記第２の蓋部材及び前記第３の蓋部材によって三角形を形成させることを特徴とする楽器蓋構造。
【請求項２】
前記三角形を構成する辺のうち、少なくとも前記第２の蓋部材によって構成される辺の長さと前記第３の蓋部材によって構成される辺の長さとが異なっていることを特徴とする請求項１に記載の楽器蓋構造。
【請求項３】
前記楽器ケースの後方にストッパ部材がさらに設けられ、
前記係止部に前記第３の蓋部材の前部側を係止させた後、前記第１の蓋部材を前記楽器ケースの後方に傾斜させて起立させた状態で、前記第１の蓋部材、前記第２の蓋部材及び前記第３の蓋部材を前記ストッパ部材で保持させることを特徴とする請求項１又は請求項２に記載の楽器蓋構造。
【請求項４】
請求項１から請求項３のいずれか一項に記載の楽器蓋構造と、
楽器本体と、
上部が開口し前記楽器本体を収容する楽器ケースと、
を備える楽器。
【発明の詳細な説明】
【技術分野】
【０００１】
本発明は、楽器蓋構造及び楽器に関するものである。
【背景技術】
【０００２】
従来、鍵盤楽器等において、楽器の上部を覆う蓋部材を楽器ケースに回動自在に取り付けた構成が知られている。
例えば特許文献１には、開閉装置によって上下方向に回動し、閉じたときに楽器ケース上に配置されて鍵盤を覆い隠す蓋として機能し、開いたときに楽器ケースの後方に少し傾いた状態で起立して譜面立てとして機能するように構成された蓋部材（鍵盤蓋）を鍵盤楽器に適用した例が開示されている。
特許文献１に記載の蓋部材を開閉させる開閉装置は、楽器ケースに設けられている一対の側板間に回転可能に設けられた回転支持軸と、この回転支持軸に一体的に取り付けられたアーム部材とを備え、このアーム部材が蓋部材の下面に取り付けられた構成になっている。これにより、蓋部材は、アーム部材が取り付けられた回転支持軸を回転中心として、その回転支持軸及びアーム部材と共に上下方向に回動するようになっている。
【先行技術文献】
【特許文献】
【０００３】
【特許文献１】特開２０１１−１３２５０号公報
【発明の概要】
【発明が解決しようとする課題】
【０００４】
しかしながら、特許文献１に記載の構成のように、蓋部材を１つの部材として構成すると、蓋部材を開閉するための動きが大きくなるため、例えば子供等が楽器を使用する場合に、スムーズな蓋部材の開閉が難しいという問題がある。
また、蓋部材を移動させるためには蓋部材全体を大きく回動させる必要があるため、蓋部材を開閉するためにある程度広いスペースが必要となる。
さらに、特許文献１に記載の構成では、蓋部材を閉じた状態と、蓋部材を後方に少し傾いた状態で起立させて譜面立てとして利用可能な状態の２つの態様しかとることができず、蓋部材の利用態様としてのバリエーションに乏しい。
【０００５】
本発明は以上のような事情に鑑みてなされたものであり、楽器の蓋部材の開閉を簡易に行うことができるとともに、蓋部材を各種の態様で有効利用することのできる楽器蓋構造及び楽器を提供することを目的とするものである。
【課題を解決するための手段】
【０００６】
前記課題を解決するために、本発明に係る楽器蓋構造は、
上部が開口し内部に楽器本体を収容する楽器ケースの後部側に回動可能に取り付けられ、前記楽器ケースの後部上方を覆うことが可能な第１の蓋部材と、
前記第１の蓋部材の前部側に回動可能に取り付けられ、前記楽器ケースの中央部上方を覆うことが可能な第２の蓋部材と、
前記第２の蓋部材の前部側に回動可能に取り付けられ、前記楽器ケースの前部上方を覆うことが可能な第３の蓋部材と、
前記第２の蓋部材を、前記第１の蓋部材上部でかつ前記楽器ケースの後方に傾斜して起立させた状態で、前記第３の蓋部材の前部側を前記第１の蓋部材の後部側に係止させる係止部と、
を備え、
前記第１の蓋部材、前記第２の蓋部材及び前記第３の蓋部材によって三角形を形成させることを特徴とする。
【０００７】
また、本発明に係る楽器は、
請求項１から請求項４のいずれか一項に記載の楽器蓋構造と、
楽器本体と、
上部が開口し前記楽器本体を収容する楽器ケースと、
を備えることを特徴としている。
【発明の効果】
【０００８】
本発明によれば、楽器の蓋の開閉を簡易に行うことができるとともに、蓋を各種の態様で有効利用することができるという効果を奏する。
【図面の簡単な説明】
【０００９】
【図１】本実施形態の鍵盤楽器の閉状態における要部断面図である。
【図２】図１の蓋部材を開状態とする途中の状態を示す鍵盤楽器の要部断面図である。
【図３】図１の鍵盤楽器の第１の開状態における要部断面図である。
【図４】図１の鍵盤楽器の第２の開状態における要部断面図である。
【図５】（ａ）は、従来の鍵盤楽器の閉状態における要部断面図であり、（ｂ）は、（ａ）の蓋部材を開状態とする途中の状態を示す鍵盤楽器の要部断面図であり、（ｃ）は、蓋部材を完全に引き起こした状態を示す鍵盤楽器の要部断面図であり、（ｄ）は、蓋部材を譜面台として利用する様子を示す鍵盤楽器の要部断面図である。
【発明を実施するための形態】
【００１０】
図１から図５を参照しつつ、本発明に係る楽器蓋構造及びこれを備える楽器の一実施形態について説明する。本実施形態では、楽器が電子ピアノやキーボード等の鍵盤楽器である場合を例として説明する。
なお、以下に述べる実施形態には、本発明を実施するために技術的に好ましい種々の限定が付されているが、本発明の範囲を以下の実施形態及び図示例に限定するものではない。
【００１１】
図１は、本実施形態の楽器蓋構造を備える鍵盤楽器の閉状態における要部断面図である。
図２は、図１における楽器蓋を開状態とする過程を示す鍵盤楽器の要部断面図であり、図３及び図４は、図１に示す鍵盤楽器の開状態における要部断面図である。
図１等に示すように、本実施形態における楽器である鍵盤楽器１００は、楽器ケース２と、楽器本体３と、本実施形態の楽器蓋構造を構成する蓋部材４とを備えている。
【００１２】
図２に示すように、楽器ケース２は、上部が開口し内部に楽器本体３を収容するものである。
具体的には、楽器ケース２は、楽器本体３等を収容する空間である収容部２１を有し、この収容部２１の底面を構成する底面板２２と、この底面板２２の後端部（鍵盤楽器１００における後ろ側の端部、図１等において右側端部）から立設された背面板２３と、底面板２２の前端部（鍵盤楽器１００における前側の端部、図１等において左側端部）から立設された前面板２４と、これら底面板２２、背面板２３及び前面板２４の左右両端部にそれぞれ取り付けられた一対の側板２５と、を有している。
一対の側板２５は、楽器ケース２の側面を構成し、収容部２１の左右の側部を画している。なお、図１等では一方側の側板２５のみを図示している。
一対の側板２５の上端面には、第２の蓋部材４２を支持する支持部材２５１及び第３の蓋部材４３を支持する支持部材２５２が設けられている。
【００１３】
背面板２３の上端部には、楽器ケース２の後部上面を構成する天板部材２６が取り付けられている。天板部材２６は、背面板２３の上端部に固定される連結部２６１と、この連結部の上端部から鍵盤楽器１００における前方（図１等における左側）に向かって張り出した天板部２６２とを備えている。
天板部２６２は、一対の側板２５の上に架け渡されおり、楽器ケース２の後部上方を覆うように配置されている。
天板部２６２の前端側の上面には、蓋部材４（本実施形態では、第１の蓋部材４１）を支持する支持部材２６３が設けられている。
また、天板部２６２の前端部には、天板部２６２と楽器本体３との間の隙間を塞ぐように、垂設部２６４が垂設されている。垂設部２６４が天板部２６２と楽器本体３との間の隙間を塞ぐように配置されていることで、楽器ケース２内への埃等の異物の侵入を防ぐことができる。
【００１４】
また、天板部材２６の連結部２６１の外側面（すなわち、楽器ケース２の後方、鍵盤楽器１００における背面側、図１等における右側の面）には、後述する蓋部材４（第１の蓋部材４１、第２の蓋部材４２及び第３の蓋部材４３）を支持するストッパ部材５が設けられている。
後述するように、本実施形態では、第２の開状態において、第３の蓋部材４３が楽器ケース２の後方であって楽器ケース２の上部開口面とほぼ水平となる位置まで傾倒した状態となる。ストッパ部材５は、第１の蓋部材４１、第２の蓋部材４２及び第３の蓋部材４３が、このような第２の開状態となったときに、第３の蓋部材４３、及びこれに連設されている第１の蓋部材４１及び第２の蓋部材４２を支持する。
【００１５】
ストッパ部材５は、鍵盤楽器１００の幅方向（すなわち長手方向）に沿って延在し、ほぼ水平に配置される板状の基台部５１と、この基台部５１における前端部（図１等における左端部）に立設され、連結部２６１に固定される固定支持部５２とを備えている。
固定支持部５２は、例えば、基台部５１の左右の両端部に設けられている。なお、固定支持部５２が設けられる数や配置は特に限定されず、例えば、基台部５１の左右両端部の他、基台部５１の中央部や中央部近傍に１又は複数の固定支持部５２が設けられていてもよい。固定支持部５２が多く設けられる方が、ストッパ部材５が撓みにくく、耐荷重性も向上する。
固定支持部５２の上端側には、後述する第１のヒンジ軸６が挿通される貫通孔５３が形成されている。なお、基台部５１の左右の両端部に設けられる固定支持部５２には、貫通孔５３の代わりに、第１のヒンジ軸６の左右の端部を受ける凹部が形成されていてもよい。
基台部５１の上面には、蓋部材４（第１の蓋部材４１、第２の蓋部材４２及び第３の蓋部材４３）を支持する支持部材５４が設けられている。支持部材５４は、例えば固定支持部５２に対応する位置に配置されている。なお、支持部材５４の形状や配置等は特に限定されない、例えば、支持部材５４は、基台部５１の長手方向に延在して設けられる長尺な部材でもよい。
【００１６】
また、図示は省略するが、楽器ケース２には、鍵盤楽器１００の音量や音色等の各種機能を選択指定する複数のスイッチ等を有する図示しない操作スイッチ部が設けられている。操作スイッチ部は、例えば天板部材２６天板部２６２の上面や側板２５等に配置されている。
さらに、楽器ケース２は、鍵盤楽器１００における発音動作等を制御するための図示しない基板や、スピーカ等を備えている。
基板や、スピーカ等は、例えば楽器ケース２内の後部等に収納されている。
なお、基板、スピーカ、操作スイッチ部等が設けられる位置等はここに例示したものに限定されない。
【００１７】
楽器ケース２の収容部２１内には、楽器本体３が収容されている。また、楽器ケース２内には、楽器本体３を支持する鍵盤シャーシ３１が設けられている。
楽器本体３は、鍵盤シャーシ３１上に配列された多数の鍵（白鍵及び黒鍵）３５からなる。各鍵３５の後端部は鍵盤シャーシ３１の後端部に設けられた鍵支持部３２に回動軸３３を介して回動可能に取り付けられている。各鍵３５は、図示しない付勢部材により上方向に付勢されており、鍵３５を押し下げる押鍵操作が行われることによって、その前端側が回動軸３３の軸中心を回動中心として下方向に回動するとともに、押鍵操作が止むと、付勢部材の付勢力により押し上げられて上方向に回動し、もとの位置に復帰するように構成されている。
【００１８】
本実施形態の蓋部材４は、第１の蓋部材４１、第２の蓋部材４２及び第３の蓋部材４３の３つの板状部材からなり、これら第１の蓋部材４１、第２の蓋部材４２及び第３の蓋部材４３を備えて楽器蓋構造が構成されている。
【００１９】
第１の蓋部材４１は、楽器ケース２の後部側に回動可能に取り付けられ、楽器ケース２の後部上方を覆うことが可能なものである。
第１の蓋部材４１の裏側の面（図１等において下側の面、以下「下面」という。）には、後述するように各種の端末装置Ｍ（携帯端末装置、タブレット端末装置等）や譜面Ｐ等を第１の蓋部材４１に立て掛けた際に、端末装置Ｍや譜面Ｐ等を係止するための係止部４６が設けられている。
本実施形態では、第１の蓋部材４１の後端部には図示しない軸挿通部が設けられており、第１の蓋部材４１は、この軸挿通部と固定支持部５２の貫通孔５３とに第１のヒンジ軸６を挿通させることで、第１のヒンジ軸６を介して、楽器ケース２の後部に取り付けられているストッパ部材５の固定支持部５２に回動可能に取り付けられている。
また、第１の蓋部材４１の後部側には、蓋部材係止部４７が設けられており、蓋部材４の開状態において、第３の蓋部材４３の前部側がこの蓋部材係止部４７に係止されるようになっている。なお、蓋部材係止部４７は、第３の蓋部材４３の前部側を係止可能なものであればよく、その形状等は図示例に限定されない。また、蓋部材係止部４７を設けることは必須ではなく、蓋部材係止部４７を備えない構成としてもよい。
【００２０】
また、第２の蓋部材４２は、第１の蓋部材４１の前端側（図１等において左側）に回動可能に取り付けられ、楽器ケース２の中央部上方を覆うことが可能なものである。
第２の蓋部材４２の裏側の面（図１等において下側の面、以下「下面」という。）には、後述するように各種の端末装置Ｍ（携帯端末装置、タブレット端末装置等）や譜面Ｐ等を第２の蓋部材４２に立て掛けた際に、端末装置Ｍや譜面Ｐ等を係止するための係止部４８が設けられている。
第１の蓋部材４１の前端部及び第２の蓋部材４２の後端部には、図示しない軸挿通部が設けられており、この第１の蓋部材４１の軸挿通部と第２の蓋部材４２の軸挿通部とに第２のヒンジ軸４４を挿通させることで、第１の蓋部材４１と第２の蓋部材４２とが第２のヒンジ軸４４を介して、回動可能に連結されている。
【００２１】
また、第３の蓋部材４３は、第２の蓋部材４２の前端側（図１等において左側）に回動可能に取り付けられ、楽器ケース２の前部上方を覆うことが可能なものである。
第２の蓋部材４２の前端部及び第３の蓋部材４３の後端部には、図示しない軸挿通部が設けられており、この第２の蓋部材４２の軸挿通部と第３の蓋部材４３の軸挿通部とに第３のヒンジ軸４５を挿通させることで、第２の蓋部材４２と第３の蓋部材４３とが第３のヒンジ軸４５を介して、回動可能に連結されている。
【００２２】
本実施形態における楽器蓋構造では、第１の蓋部材４１、第２の蓋部材４２及び第３の蓋部材４３が楽器ケース２の開口を覆う閉状態（図１参照）と、第１の蓋部材４１、第２の蓋部材４２及び第３の蓋部材４３が楽器ケース２の開口を開放する開状態（図３及び図４参照）とをとり得るように構成されている。
【００２３】
閉状態のときには、図１に示すように、第１の蓋部材４１、第２の蓋部材４２及び第３の蓋部材４３がほぼ水平に楽器ケース２の上方に配置される。
この状態において、第１の蓋部材４１は、天板部材２６に設けられた支持部材２６３によって支持され、第２の蓋部材４２は、側板２５に設けられた支持部材２５１によって支持され、第３の蓋部材４３は、側板２５に設けられた支持部材２５２によって支持される。これにより、第１の蓋部材４１、第２の蓋部材４２及び第３の蓋部材４３は、撓んだりすることなく、底面板２２とほぼ平行となる状態に保たれている。
【００２４】
また、図３及び図４に示すように、開状態において、第１の蓋部材４１、第２の蓋部材４２及び第３の蓋部材４３の上面（図１に示す閉状態において上側に配置されている面）によってほぼ三角形が形成される。
すなわち、本実施形態では、蓋部材４を開状態とする場合には、図２に示すように、第１の蓋部材４１、第２の蓋部材４２及び第３の蓋部材４３を各上面が内側になるように第２の蓋部材４２及び第３の蓋部材４３を後方（図２等において右側）に回動させる。そして、第３の蓋部材４３の前部側が第１の蓋部材４１の後部側（本実施形態では第１の蓋部材４１の後部側に設けられた蓋部材係止部４７）に配置される位置まで回動すると、蓋部材４が開状態となり、第１の蓋部材４１、第２の蓋部材４２及び第３の蓋部材４３を側面視した場合にほぼ三角形状となる。
【００２５】
なお、本実施形態では、上記三角形を構成する辺のうち、少なくとも第２の蓋部材４２の上面によって構成される辺の長さと第３の蓋部材４３の上面によって構成される辺の長さとが異なっている。
すなわち、第２の蓋部材４２の上面によって構成される辺の長さは、第１の蓋部材４１の上面によって構成される辺の長さとほぼ同程度であるが、第３の蓋部材４３の上面によって構成される辺の長さは、この第２の蓋部材４２の上面によって構成される辺の長さよりも短い。これにより、本実施形態では、開状態において、第１の蓋部材４１、第２の蓋部材４２及び第３の蓋部材４３の上面によって形成される三角形は、図３及び図４に示すように、ほぼ二等辺三角形となる。
【００２６】
本実施形態では、第１の蓋部材４１、第２の蓋部材４２及び第３の蓋部材４３は、開状態として、第２の蓋部材４２が、楽器ケース２の後方に傾斜した状態で起立する第１の開状態（図３参照）と、第１の蓋部材４１が、楽器ケース２の後方に傾斜した状態で起立する第２の開状態（図４参照）と、を取り得るようになっている。
【００２７】
まず、第１の開状態のときには、図３に示すように、第２の蓋部材４２を第２のヒンジ軸４４の軸中心を回動中心として楽器ケース２の後方に回動させ、第３の蓋部材４３を第３のヒンジ軸４５の軸中心を回動中心として楽器ケース２の後方に回動させて、第３の蓋部材４３の前部側を第１の蓋部材４１の後部側に設けられた蓋部材係止部４７に係止する。これにより、第１の蓋部材４１の上面を底面とする三角形が、第１の蓋部材４１、第２の蓋部材４２及び第３の蓋部材４３の上面によって形成される。
この状態において、第２の蓋部材４２の下面（裏面）は、各種の端末装置Ｍ（携帯端末装置、タブレット端末装置等）等を置くことのできる載置面となり、蓋部材４は、物置台又は譜面立てとして利用可能な状態となる。例えば図３に示すように、端末装置Ｍを第２の蓋部材４２の下面に置いた場合には、係止部４８により端末装置Ｍが係止される。
本実施形態では、第３の蓋部材４３の上面によって構成される辺の長さは、第１の蓋部材４１及び第２の蓋部材４２の上面によって構成される辺の長さよりも短くなっているため、この第１の開状態では、第１の蓋部材４１に対する第２の蓋部材４２の角度（すなわち、第２の蓋部材４２の下面（裏面）で構成される載置面の傾斜角度）が比較的小さくなる。これにより、多少重量のある端末装置Ｍ等でも、比較的安定して蓋部材４の上に載置することができる。
【００２８】
また、第２の開状態のときには、例えば、図３に示す状態から、さらに第１の蓋部材４２を第１のヒンジ軸６の軸中心を回動中心として楽器ケース２の後方に回動させる。
図４に示すように、第３の蓋部材４３が楽器ケース２の後方であって楽器ケース２の上部開口面とほぼ水平となる位置に配置されると、第３の蓋部材４３及びこれに連設された第１の蓋部材４１及び第２の蓋部材４２が、ストッパ部材５に設けられた支持部材５４の上に載置され、支持部材５４によって支持される。
この状態において、第１の蓋部材４１の下面（裏面）は、譜面Ｐを立て掛ける譜面立て又は各種の端末装置Ｍ等を置くことのできる載置面となり、蓋部材４は、物置台又は譜面立てとして利用可能な状態となる。例えば図４に示すように、譜面Ｐを第１の蓋部材４１の下面に立て掛けた場合には、係止部４６により譜面Ｐが係止される。
上述のように、第３の蓋部材４３の上面によって構成される辺の長さは、第１の蓋部材４１及び第２の蓋部材４２の上面によって構成される辺の長さよりも短くなっているため、この第２の開状態では、第３の蓋部材４３に対する第１の蓋部材４１の角度（すなわち、第１の蓋部材４１の下面（裏面）で構成される載置面の傾斜角度）が比較的大きくなる。これにより、譜面Ｐ等を第１の蓋部材４１に立て掛けた際、譜面Ｐ等を適度に起立させることができ、ユーザが演奏しながら譜面Ｐ等を見やすい状態に保持される。
【００２９】
なお、蓋部材４の開状態の態様は、上記に示した２種類に限定されない。
例えば、図３に示す状態から、さらに第３の蓋部材４３を第２の蓋部材４２の上面にほぼ重なり合う位置まで回動させ、第３の蓋部材４３を第１の蓋部材４１と第２の蓋部材４２とで挟み込むようにして３つの蓋部材４を重ね合わせてもよい。
この場合には、第１の蓋部材４１に対する第２の蓋部材４２の角度（すなわち、第２の蓋部材４２の下面（裏面）で構成される載置面の傾斜角度）を、図３に示す第１の開状態の場合よりも小さくすることができ、重量のあるものや厚みのあるものでも安定して第２の蓋部材４２の上に載置することができる。
【００３０】
図５（ａ）から図５（ｄ）は、従来の鍵盤楽器２００の蓋部材９の構成の一例を示した図である。
図５（ａ）に示すように、従来の蓋部材９は、例えば、１枚の板で構成された蓋部材本体９１を備えている。この蓋部材本体９１の裏面側にはアーム部材９５が取り付けられており、アーム部材９５には回転軸９６が一体的に設けられている。回転軸９６の両端部は楽器ケース２の左右の側板２５にそれぞれ回動可能に取り付けられている。これにより、蓋部材９は、アーム部材９５が取り付けられた回転軸９６の軸中心を回転中心として、上下方向に回動するようになっている。
蓋部材本体９１の裏面側（図５（ａ）において下側）の前端側（図５（ａ）において左側）には、突き当て部材９２が設けられている。閉状態においては、この突き当て部材９２が側板２５の上端面に突き当てられた状態となっている。
また、蓋部材本体９１の裏面側（図５（ａ）において下側）の後端側（図５（ａ）において右側）には、支持部材９３が設けられている。開状態においては、図５（ｄ）に示すように、この支持部材９３が楽器ケース２の裏面側に突き当てられることにより、蓋部材９が、楽器ケース２の後方に少し傾斜した状態で起立するように支持される。この開状態において、蓋部材９は譜面Ｐ等を立て掛けることができる状態となり、蓋部材９を譜面立てとして利用することができる。
しかし、この従来の構成では、蓋部材９は、楽器ケース２の開口を覆う閉状態と、楽器ケース２の開口部を開放し、蓋部材９を譜面立てとして利用することのできる開状態の２つの態様しかとることができない。
また、蓋部材９が１つの部材として構成され、蓋部材９を開閉させるときには、図５（ａ）から図５（ｄ）に示すように、蓋部材９全体を回動させる必要がある。このため、開閉の際の蓋部材９の動きが大きく、開閉動作を行うために広いスペースが必要であるとともに、蓋部材９を開閉しようとした場合に力を要し、例えば子供等の力の弱いものがスムーズに蓋部材９の開閉動作を行うことが難しい。
この点、本実施形態に示す楽器蓋構造を適用すれば、蓋部材４が３枚に分割されているために狭い場所でも開閉動作が可能であり、弱い力でも容易かつスムーズに蓋部材４の開閉動作を行うことができる。
また、本実施形態に示す楽器蓋構造では、楽器ケース２の開口を覆う閉状態の他、少なくとも２種類の開状態（第１の開状態及び第２の開状態）をとることができ、第１の開状態のときには、比較的載置面の傾斜角度の小さな物置台又は譜面立てとして蓋部材４を利用することができ、第２の開状態のときには、比較的載置面の傾斜角度の大きな物置台又は譜面立てとして蓋部材４を利用することができ、ユーザは、用途等に応じて蓋部材４の開状態を適宜選択することができる。
【００３１】
次に、本実施形態における楽器蓋構造及びこれを備える楽器（鍵盤楽器１００）の作用について説明する。
【００３２】
まず、楽器蓋構造の閉状態においては、図１に示すように、第１の蓋部材４１によって楽器ケース２の後部上方が覆われ、第２の蓋部材４２によって楽器ケース２の中央部上方が覆われ、第３の蓋部材４３によって楽器ケース２の前部上方が覆われた状態となっている。
この閉状態において、第１の蓋部材４１は支持部材２６３によって下方から支持され、第２の蓋部材４２は支持部材２５１によって下方から支持され、第３の蓋部材４３は支持部材２５２によって下方から支持されて、第１の蓋部材４１、第２の蓋部材４２及び第３の蓋部材４３が底面板２２とほぼ平行となる状態に保持される。
【００３３】
楽器蓋構造を第１の開状態とする際には、図２に示すように、第２の蓋部材４２を第２のヒンジ軸４４の軸中心を回動中心として後方に回動させ、第３の蓋部材４３を第３のヒンジ軸４５の軸中心を回動中心として後方に回動させる。
そして、図３に示すように、第３の蓋部材４３の前部側を第１の蓋部材４１の後部側に設けられた蓋部材係止部４７に係止する。
これにより、第１の蓋部材４１の上面を底面とする三角形が、第１の蓋部材４１、第２の蓋部材４２及び第３の蓋部材４３の上面によって形成され、蓋部材４は、比較的載置面の傾斜角度の小さい物置台又は譜面立てとして利用可能な状態となる。
例えば、このような第１の開状態とした蓋部材４（図３では第２の蓋部材４２の下面）に端末装置Ｍを置いた場合には、係止部４８により端末装置Ｍが係止される。
【００３４】
また、楽器蓋構造を第２の開状態とする場合には、例えば図３に示す状態から、第１の蓋部材４１、第２の蓋部材４２及び第３の蓋部材４３の上面によって形成される三角形状を保ったまま、さらに第１の蓋部材４２を第１のヒンジ軸６の軸中心を回動中心として楽器ケース２の後方に回動させる。
図４に示すように、第３の蓋部材４３が楽器ケース２の後方であって楽器ケース２の上部開口面とほぼ水平となる位置に配置されると、第３の蓋部材４３及びこれに連設された第１の蓋部材４１及び第２の蓋部材４２が、ストッパ部材５に設けられた支持部材５４の上に載置され、支持部材５４によって支持される。
これにより、蓋部材４は、比較的載置面の傾斜角度の大きな物置台又は譜面立てとして利用可能な状態となる。
例えば、このような第２の開状態とした蓋部材４（図４では第１の蓋部材４１の下面）に譜面Ｐを立て掛けた場合には、係止部４６により譜面Ｐが係止される。
【００３５】
このように、第１の蓋部材４１から第３の蓋部材４３を比較的載置面の傾斜角度の小さな物置台又は譜面立てとして利用することのできる第１の開状態とすることにより、ユーザは蓋部材４の上に各種の端末装置Ｍや譜面Ｐ等を置いた状態で、鍵３５を押鍵して演奏することが可能な状態となる。
また、第１の蓋部材４１から第３の蓋部材４３を比較的載置面の傾斜角度の大きな物置台又は譜面立てとして利用することのできる第２の開状態とすることにより、ユーザは各種の端末装置Ｍや譜面Ｐ等を参照しながら鍵３５を押鍵して演奏することが可能な状態となる。
【００３６】
第１の開状態となった第１の蓋部材４１から第３の蓋部材４３を再び閉状態とする際には、第３の蓋部材４３を第３のヒンジ軸４５の軸中心を回動中心として前方に回動させながら、第２の蓋部材４２を第２のヒンジ軸４４の軸中心を回動中心として前方に回動させる。
また、第２の開状態となった第１の蓋部材４１から第３の蓋部材４３を再び閉状態とする際には、第１の蓋部材４１を第１のヒンジ軸６の軸中心を回動中心として前方に回動させるとともに、第３の蓋部材４３を第３のヒンジ軸４５の軸中心を回動中心として前方に回動させながら、第２の蓋部材４２を第２のヒンジ軸４４の軸中心を回動中心として前方に回動させる。
そして、第１の蓋部材４１が支持部材２６３によって支持され、第２の蓋部材４２が支持部材２５１によって支持され、第３の蓋部材４３が支持部材２５２によって支持されて、第１の蓋部材４１から第３の蓋部材４３が底面板２２とほぼ平行となる位置まで移動させることで、鍵盤楽器１００は、第１の蓋部材４１から第３の蓋部材４３が楽器ケース２の開口を覆う閉状態となる。
【００３７】
以上のように、本実施形態によれば、楽器ケース２の後部側に回動可能に取り付けられ、楽器ケース２の後部上方を覆うことが可能な第１の蓋部材４１と、第１の蓋部材４１の前部側に回動可能に取り付けられ、楽器ケース２の中央部上方を覆うことが可能な第２の蓋部材４２と、第２の蓋部材４２の前部側に回動可能に取り付けられ、楽器ケース２の前部上方を覆うことが可能な第３の蓋部材４３とを備え、第１の蓋部材４１、第２の蓋部材４２及び第３の蓋部材４３が閉状態と開状態とをとり得るようになっている。
このように、蓋部材４が第２のヒンジ軸４４、第３のヒンジ軸４５によって連結された３つの部材で構成されているため、第１の蓋部材４１から第３の蓋部材４３を折り畳みながら蓋部材４の開閉動作を行うことができる。このため、子供等、比較的力の弱いユーザが蓋部材４の開閉を行う場合でも、円滑、安全に蓋部材４の開閉動作を行うことができる。また、それほど広いスペースを確保しなくても円滑に蓋部材４を開閉することができる。
また、開状態において、第１の蓋部材４１、第２の蓋部材４２及び第３の蓋部材４３の上面によってほぼ三角形が形成される。このため、特に位置決め等を行わなくても、第１の蓋部材４１から第３の蓋部材４３を折り畳むだけで、蓋部材４の上に、一定の傾斜角度を有する載置面を得ることができ、蓋部材４を簡易に物置台又は譜面立てとして利用することができる。
また、本実施形態では、第１の蓋部材４１、第２の蓋部材４２及び第３の蓋部材４３は、開状態として、第２の蓋部材４２が、楽器ケース２の後方に傾斜した状態で起立する第１の開状態と、第１の蓋部材４１が、楽器ケース２の後方に傾斜した状態で起立する第２の開状態とを取り得るように構成されている。第１の開状態と第２の開状態とでは、ユーザ（演奏者）から端末装置Ｍ等を載置する載置面までの距離が異なるため、ユーザは所望の開状態を選択することにより、自分の見やすい位置に端末装置Ｍ等を載置することができる。
さらに本実施形態では、第１の蓋部材４１、第２の蓋部材４２及び第３の蓋部材４３の上面によって形成される三角形を構成する辺のうち、少なくとも第２の蓋部材４２の上面によって構成される辺の長さと第３の蓋部材４３の上面によって構成される辺の長さとが異なっている。このため、第２の蓋部材４２の下面が端末装置Ｍや譜面Ｐ等を載置する載置面となる第１の開状態と、第１の蓋部材４１の下面が端末装置Ｍや譜面Ｐ等を載置する載置面となる第２の開状態とで、載置面の傾斜角度を異ならせることができる。これにより、例えば端末装置Ｍを置いた状態で演奏する場合には第１の開状態とし、譜面Ｐを見ながら演奏する場合には第２の開状態とする、というように、ユーザの好みや用途に応じて、所望の開状態を選択することができ、蓋部材４の利用態様のバリエーションの拡充を比較的簡易な構成で実現することができる。
また、本実施形態では、第１の蓋部材４１の後部側に蓋部材係止部４７を備えており、開状態において、第３の蓋部材４３の前部側が蓋部材係止部４７に係止されるようになっている。このため、第１の蓋部材４１、第２の蓋部材４２及び第３の蓋部材４３をよりしっかりと組み合わせることができ、蓋部材４に多少重量のある端末装置Ｍ等を載置した場合でも安定性が確保される。
また、第３の蓋部材４３の前部側を蓋部材係止部４７に係止することで、第１の蓋部材４１、第２の蓋部材４２及び第３の蓋部材４３の上面により形成される三角形を維持したまま第１の開状態から第２の開状態に移行することが容易となり、蓋部材４の変形（開状態の切り替え）を簡易かつ迅速に行うことができる。
【００３８】
なお、以上本発明の実施形態について説明したが、本発明は、かかる実施形態に限定されず、その要旨を逸脱しない範囲で、種々変形が可能であることは言うまでもない。
【００３９】
例えば、本実施形態では、第３の蓋部材４３の上面によって構成される辺の長さが、第２の蓋部材４２の上面によって構成される辺の長さよりも短い場合を例示したが、第３の蓋部材４３の上面によって構成される辺の長さを、第２の蓋部材４２の上面によって構成される辺の長さよりも長くしてもよい。
この場合には、第２の蓋部材４２の下面が端末装置Ｍ等の載置面となる第１の開状態において、第１の蓋部材４１に対する第２の蓋部材４２の角度（すなわち、載置面の傾斜角度）が比較的大きくなり、第１の蓋部材４１の下面が端末装置Ｍ等の載置面となる第２の開状態において、第３の蓋部材４３に対する第１の蓋部材４１の角度（すなわち、載置面の傾斜角度）が比較的小さくなる。
【００４０】
また、第１の蓋部材４１の上面によって構成される辺の長さ、第２の蓋部材４２の上面によって構成される辺の長さ、第３の蓋部材４３の上面によって構成される辺の長さは、それぞれ異なっていてもよいし、いずれか２辺が同じでもよい。
さらに、第１の蓋部材４１の上面によって構成される辺の長さ、第２の蓋部材４２の上面によって構成される辺の長さ、第３の蓋部材４３の上面によって構成される辺の長さが全て同じであってもよい。この場合には、第１の蓋部材４１、第２の蓋部材４２及び第３の蓋部材４３の上面により形成される三角形は正三角形となり、第１の開状態と第２の開状態とで、端末装置Ｍ等を載置する載置面の傾斜角度は同じとなる。
この場合でも、第１の開状態と第２の開状態とで端末装置Ｍ等を載置する載置面とユーザ（演奏者）との距離は異なり、ユーザは、好みや用途に応じて所望の開状態を選択することができる。
【００４１】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
上部が開口し内部に楽器本体を収容する楽器ケースの後部側に回動可能に取り付けられ、前記楽器ケースの後部上方を覆うことが可能な第１の蓋部材と、
前記第１の蓋部材の前部側に回動可能に取り付けられ、前記楽器ケースの中央部上方を覆うことが可能な第２の蓋部材と、
前記第２の蓋部材の前部側に回動可能に取り付けられ、前記楽器ケースの前部上方を覆うことが可能な第３の蓋部材と、
前記第２の蓋部材を、前記第１の蓋部材上部でかつ前記楽器ケースの後方に傾斜して起立させた状態で、前記第３の蓋部材の前部側を前記第１の蓋部材の後部側に係止させる係止部と、
を備え、
前記第１の蓋部材、前記第２の蓋部材及び前記第３の蓋部材によって三角形を形成させることを特徴とする楽器蓋構造。
＜請求項２＞
前記三角形を構成する辺のうち、少なくとも前記第２の蓋部材によって構成される辺の長さと前記第３の蓋部材によって構成される辺の長さとが異なっていることを特徴とする請求項１に記載の楽器蓋構造。
＜請求項３＞
前記楽器ケースの後方にストッパ部材がさらに設けられ、
前記係止部に前記第３の蓋部材の前部側を係止させた後、前記第１の蓋部材を前記楽器ケースの後方に傾斜させて起立させた状態で、前記第１の蓋部材、前記第２の蓋部材及び前記第３の蓋部材を前記ストッパ部材で保持させることを特徴とする請求項１又は請求項２に記載の楽器蓋構造。
＜請求項４＞
請求項１から請求項３のいずれか一項に記載の楽器蓋構造と、
楽器本体と、
上部が開口し前記楽器本体を収容する楽器ケースと、
を備える楽器。
【符号の説明】
【００４２】
２        楽器ケース
３        楽器本体
４        蓋部材
５        ストッパ部材
６        第１のヒンジ軸
４１      第１の蓋部材
４２      第２の蓋部材
４３      第３の蓋部材
４４      第２のヒンジ軸
４５      第５のヒンジ軸
４７      蓋部材係止部
１００    鍵盤楽器
【図１】
2015206956.tif 000003
【図２】
2015206956.tif 000004
【図３】
2015206956.tif 000005
【図４】
2015206956.tif 000006
【図５】
2015206956.tif 000007